(57)【要約】      （修正有）【課題】簡易な構成で、重い石を持ち上げることなく簡単な手法で納骨でき、管理もし易く、また、いたずらもされにくく極めて実用性に秀れた墓石を提供する。【解決手段】香炉４内に香炉４の正面開口部５から引き出す供物台６を引き出し自在に設け、拝石２の香炉４内に位置する部位に納骨堂と連通する納骨用穴７を設け、この納骨用穴７を面一状に閉塞する閉塞蓋８を着脱自在に設けて、供物台６を香炉４内から前方にまで延設している載置底面の拝石２に沿って、香炉４の正面開口部５を引き出し口として引き出すことで閉塞蓋８が露出し、この閉塞蓋８を指掴み部９を摘んで抜き取ることで納骨用穴７が開口して納骨し得るように構成した墓石。【選択図】図４
0003147012.tif 000002
【実用新案登録請求の範囲】
【請求項１】
納骨堂の上部開口部を閉塞する拝石上に石塔の下方前部に位置させる香炉を設け、この香炉内に香炉の正面開口部から引き出す供物台を引き出し自在に設けた墓石であって、前記拝石の前記香炉内に位置する部位に前記納骨堂と連通する納骨用穴を設け、この納骨用穴を面一状に閉塞する閉塞蓋を着脱自在に設け、この閉塞蓋に着脱用の指掴み部を設け、上面に線香置き部若しくはろうそく立て部を設けた板石状の前記供物台を前記香炉内に、拝石上面に沿って引き出し自在に設けて、前記納骨用穴を閉塞した前記閉塞蓋を隠蔽露出自在に構成したことを特徴とする墓石。
【請求項２】
前記閉塞蓋は、前記拝石から前記納骨用穴を形成するために切り出した切り出し石とし、この切り出し石で形成した閉塞蓋に、前記着脱用指掴み部として指入れ部を形成したことを特徴とする請求項１記載の墓石。
【請求項３】
前記拝石にコ字形の板石で形成した前記香炉を架設部を上部にして載置し、前記拝石を底面とし前記石塔の棹石を立設する台石を背面とした前記香炉の前記正面開口部がこの香炉内に載置した前記供物台の引き出し口となるように構成し、この供物台を前記香炉内から前方にまで延設している載置底面の前記拝石に沿って、前記香炉の前記正面開口部を引き出し口として引き出すことで前記閉塞蓋が露出し、この閉塞蓋を前記指掴み部を摘んで抜き取ることで前記納骨用穴が開口して納骨し得るように構成したことを特徴とする請求項１，２のいずれか１項に記載の墓石。
【考案の詳細な説明】
【技術分野】
【０００１】
本考案は、石材で構成される墓石（墓石構造）に関するものである。
【背景技術】
【０００２】
墓石は、様々な構成のものがあるが、一般には骨を納骨する納骨堂を拝石で塞ぎ、この拝石上若しくはその後部に下台・中台・上台などの台石を積みその上に悼石を立設して石塔を設け、この前面に花立てや香炉を設けた構成としている。
【０００３】
例えば、平面枠状に配置した胴石の内側空間や掘り下げた空間を納骨堂とし、この上部開口部を拝石で閉塞し、この拝石上であって石塔の台石の前部にコ字形石状の香炉を架設部を上部にして載置し、この香炉内に石板状の供物台を設け、香炉の正面開口部から供物台の上面に設けた線香置き部やろうそく立て部に線香やろうそくなどを置ける構成としている。
【０００４】
従って、従来納骨する場合は、供物台や花立や香炉を丸ごと動かし、拝石を持ち上げたりして納骨堂を開口して納骨しなければならなかったため、手間がかかり特に年配の方などにとっては労力がかかり、危険を伴う恐れもある構成であった。
【０００５】
石塔（墓石本体）の後側に納骨口を設ける場合もあるが、このタイプでは納骨口を塞ぐ石自体が納骨穴に落ちてしまうこともあったり、いたずらされたり、奥に押し込み過ぎて取れなくなったりする場合もある。
【考案の開示】
【考案が解決しようとする課題】
【０００６】
本考案は、簡易な構成で、重い石を持ち上げることなく簡単な手法で納骨でき、管理もし易く、また、いたずらもされにくく極めて実用性に秀れた墓石を提供することを目的としている。
【課題を解決するための手段】
【０００７】
添付図面を参照して本考案の要旨を説明する。
【０００８】
納骨堂１の上部開口部を閉塞する拝石２上に石塔３の下方前部に位置させる香炉４を設け、この香炉４内に香炉４の正面開口部５から引き出す供物台６を引き出し自在に設けた墓石であって、前記拝石２の前記香炉４内に位置する部位に前記納骨堂１と連通する納骨用穴７を設け、この納骨用穴７を面一状に閉塞する閉塞蓋８を着脱自在に設け、この閉塞蓋８に着脱用の指掴み部９を設け、上面に線香置き部10若しくはろうそく立て部11を設けた板石状の前記供物台６を前記香炉４内に、拝石２上面に沿って引き出し自在に設けて、前記納骨用穴７を閉塞した前記閉塞蓋８を隠蔽露出自在に構成したことを特徴とする墓石に係るものである。
【０００９】
また、前記閉塞蓋８は、前記拝石２から前記納骨用穴７を形成するために切り出した切り出し石８とし、この切り出し石８で形成した閉塞蓋８に、前記着脱用指掴み部９として指入れ部９を形成したことを特徴とする請求項１記載の墓石に係るものである。
【００１０】
また、前記拝石２にコ字形の板石で形成した前記香炉４を架設部を上部にして載置し、前記拝石２を底面とし前記石塔３の棹石12を立設する台石13を背面とした前記香炉４の前記正面開口部５がこの香炉４内に載置した前記供物台６の引き出し口となるように構成し、この供物台６を前記香炉４内から前方にまで延設している載置底面の前記拝石２に沿って、前記香炉４の前記正面開口部５を引き出し口として引き出すことで前記閉塞蓋８が露出し、この閉塞蓋８を前記指掴み部９を摘んで抜き取ることで前記納骨用穴７が開口して納骨し得るように構成したことを特徴とする請求項１，２のいずれか１項に記載の墓石に係るものである。
【考案の効果】
【００１１】
本考案は上述のように構成したから、簡易な構成で、重い石を持ち上げることなく簡単な手法で納骨でき、管理もし易く、また、いたずらもされにくく極めて実用性に秀れた墓石となる。
【００１２】
また、請求項２、３記載の考案においては、一層簡易な構成で本考案を実現でき、特に請求項３記載の考案においては、拝石上で供物台を引き出せるため、一層納骨がし易く、また二重閉塞のため人目につかずいたずらされにくく、一層簡易な構成で実現できる極めて実用性に秀れた墓石となる。
【考案を実施するための最良の形態】
【００１３】
好適と考える本考案の実施形態（考案をどのように実施するか）を、図面に基づいて本考案の作用を示して簡単に説明する。
【００１４】
拝石２上の供物台６を持ち上げたり引き上げたりしてつまみ出すなどして香炉４内から供物台６を香炉４の底面の拝石２に沿って引き出す。
【００１５】
この引き出す供物台６は、香炉４内に設けた板石であるため、たとえ持ち上げが必要としても軽量であり、また、載置底面の拝石２に沿って引き出すから重労働とはならず簡単に手間なく危険も伴うことなく引き出せる。
【００１６】
また、香炉４の脚部や底面の拝石２をスライドガイドとする構成とすれば、一層簡易な構成で容易に手間なく引き出せる。特に拝石２を手前に延設した設計とすれば、一層引き出し易い。
【００１７】
この供物台６の引き出しによって閉塞蓋８が露出し、この閉塞蓋８に設けた指掴み部９を摘んで閉塞蓋８を取り外し、納骨用穴７を開口して、この納骨用穴７から納骨する。
【００１８】
従って、納骨用穴７は閉塞蓋８と供物台６とによって二重に閉塞（隠蔽）されているので、人目に触れずいたずらされる恐れも少なく、また二重閉塞ながらも前述のように供物台６は拝石２に沿って容易に引き出せ、また閉塞蓋８は指掴み部９を摘んでこれも簡単に取り外せるから、納骨は容易に行えることとなる。
【００１９】
また、逆に元に戻すことも容易となる。
【実施例】
【００２０】
本考案の具体的な一実施例について図面に基づいて説明する。
【００２１】
胴石で囲んだ下部空間として形成した納骨堂１の上部開口部を拝石２で閉塞し、この拝石２の後方に下台、中台と台石13を積み、その上に悼石12を積んで石塔３を設け、この拝石２上に石塔３の下方前部に位置させる香炉４を設け、この香炉４内に香炉４の正面開口部５から引き出す供物台６を引き出し自在に設けた墓石に本考案を適用している。
【００２２】
具体的には、前記拝石２の前記香炉４内に位置する部位に前記納骨堂１と連通する小形円形の納骨用穴７を設け、この納骨用穴７を面一状に閉塞する円形の閉塞蓋８を着脱自在に設け、この閉塞蓋８に着脱用の指掴み部９を設け、上面に線香置き部10とろうそく立て部11とを設けた板石状の前記供物台６を前記香炉４内に、拝石２上面に沿って引き出し自在に設けて、前記納骨用穴７を閉塞した前記閉塞蓋８を隠蔽露出自在に構成している。
【００２３】
本実施例の前記閉塞蓋８は、前記拝石２から前記納骨用穴７を形成するために切り出した切り出し石８とし、この切り出し石８で形成した閉塞蓋８に、前記着脱用指掴み部９として指入れ部９を形成している。この閉塞蓋８（切り出し石８）は、例えば上面側の開口径を下面側の開口径より大きくして逆円錐状に貫通切り出して孔内面がテーパ面となるように切り出して、中へ抜け落ちないように構成している。また、単に貫通切り出した閉塞蓋８の外周や納骨用穴７の内周に圧入用のパッキンやその他の抜け落ち防止部材を形成するようにしても良い。
【００２４】
また、本実施例の指掴み部９は単に閉塞蓋８に二箇所指入れ孔を形成し、これを摘んで簡単に取り外せるように設けている。従って、極めて簡易な構成にして掴み外し易く、また閉塞蓋８及びこの指掴み部９を拝石２と面一に構成でき、供物台６の引き出しに支障のない構成としている。
【００２５】
また本実施例では、コ字形の板石で形成した前記香炉４を架設部を上部にして拝石２の後方寄りに載置し、前記拝石２を底面とし前記石塔３の棹石12を立設する台石13を背面として香炉４の正面開口部５がこの香炉４内に載置した前記供物台６の引き出し口となるように構成し、この供物台６を前記香炉４内から前方にまで延設している載置底面の前記拝石２に沿って、前記香炉４の前記正面開口部５を引き出し口として引き出すことで前記閉塞蓋８が露出し、この閉塞蓋８を前記指掴み部９を摘んで抜き取ることで前記納骨用穴７が開口して納骨し得るように構成している。
【００２６】
従って、拝石２上で供物台６を引き出せるため、一層納骨がし易く、また二重閉塞のため人目につかずいたずらされにくく、一層簡易な構成で実現できる極めて実用性に秀れた墓石となる。
【００２７】
尚、本考案は、本実施例に限られるものではなく、各構成要件の具体的構成は適宜設計し得るものである。
【図面の簡単な説明】
【００２８】
【図１】本実施例の要部の説明斜視図である。
【図２】本実施例の供物台の引き出し途中の説明拡大斜視図である。
【図３】本実施例の供物台を引き出した説明拡大分解斜視図である。
【図４】本実施例の供物台と閉塞蓋とを取り外した説明拡大分解斜視図である。
【図５】本実施例の要部の説明側断面図である。
【符号の説明】
【００２９】
１  納骨堂
２  拝石
３  石塔
４  香炉
５  正面開口部
６  供物台
７  納骨用穴
８  閉塞蓋
９  指掴み部
10  線香置き部
11  ろうそく立て部
12  悼石
13  台石
【図１】
0003147012.tif 000003
【図２】
0003147012.tif 000004
【図３】
0003147012.tif 000005
【図４】
0003147012.tif 000006
【図５】
0003147012.tif 000007